(57)【要約】【課題】  トイレ室内に敷設されて、床面や壁および便器を清潔に保つ立体型トイレマットを提供する。【解決手段】  便器Ｔの外周形状に合わせて略凹状に形成された便器囲い部２１を備えており便器周りの床に敷設される床面ガードマット２と、便器囲い部２１から便器Ｔに沿って立設された便器ガード壁３と、この便器ガード壁３に連設されているとともに床面ガードマット２上に立ち入るための立入口５を除く外周縁に立設された側面ガード壁４とを有しており、床面ガードマット２には、立入口５に対して左右に設けられた各側面ガード壁４１，４２にわたる長さで略直線状の谷折り可能な床面谷折り部２２が形成されているとともに、左右の側面ガード壁４１，４２には、床面谷折り部２２と接する部分を基点に折り畳み可能な折畳部４３が形成されており、床面ガードマット２の立入口５を床面谷折り部２２で上方向に折り曲げて堤防部６を形成可能な構成を有する。【選択図】  図１
2010094293.tif 000002
【特許請求の範囲】
【請求項１】
便器の外周形状に合わせて略凹状に形成された便器囲い部を備えており便器周りの床に敷設される床面ガードマットと、前記便器囲い部から前記便器に沿って立設された便器ガード壁と、この便器ガード壁に連設されているとともに前記床面ガードマット上に立ち入るための立入口を除く外周縁に立設された側面ガード壁とを有しており、
前記床面ガードマットには、前記立入口に対して左右に設けられた前記各側面ガード壁にわたる長さで略直線状の谷折り可能な床面谷折り部が形成されているとともに、前記左右の側面ガード壁には、前記床面谷折り部と接する部分を基点に折り畳み可能な折畳部が形成されており、前記床面ガードマットの前記立入口を前記床面谷折り部で上方向に折り曲げて堤防部を形成可能な立体型トイレマット。
【請求項２】
請求項１において、前記折畳部は、谷折り可能な略直線状の側面谷折り部と山折り可能な略直線状の側面山折り部とから構成されているとともに、これら側面谷折り部と側面山折り部とのなす折畳角度が前記左側面ガード壁と前記右側面ガード壁とで同一に形成されている立体型トイレマット。
【請求項３】
請求項１または請求項２において、前記便器囲い部を前記立入口に対して正面略中央に配置するとともに、前記床面谷折り部を前記便器囲い部とほぼ接する位置に配置し、前記床面ガードマットには、前記床面谷折り部と前記便器囲い部との接する部分を基点として前記立入口の縁部まで至る略直線状の両折り可能な床面両折り部が形成されている立体型トイレマット。
【請求項４】
請求項３において、前記便器囲い部にほぼ接する床面谷折り部に沿って折り畳まれる折畳部の他に、前記立入口の外縁近傍において左右の側面ガード壁にわたる長さで略直線状に形成された谷折り可能な第２床面谷折り部が形成されているとともに、前記左右の側面ガード壁には、前記第２床面谷折り部と接する部分を基点に折り畳み可能な第２折畳部が形成されており、前記床面ガードマットの前記立入口を前記第２床面谷折り部で上方向に折り曲げて第２堤防部を形成可能な立体型トイレマット。
【請求項５】
請求項１から請求項４のいずれかにおいて、前記便器ガード壁には、その上端に沿って便器の後方側へ延出されて前記便器を囲繞可能な長さを有する便器締付ベルトが設けられている立体型トイレマット。
【請求項６】
請求項１から請求項５のいずれかにおいて、前記側面ガード壁には、前記床面谷折り部よりも前記便器側において排水用ポンプを支持するポンプ支持具が設けられており、このポンプ支持具は不使用の際に前記側面ガード壁に沿って折り畳み可能に形成されている立体型トイレマット。
【請求項７】
請求項１から請求項６のいずれかにおいて、前記床面ガードマットのうち便器囲い部の便器後方側を上方に傾斜させた傾斜部が形成されている立体型トイレマット。
【発明の詳細な説明】
【技術分野】
【０００１】
本発明は、トイレ室内の床面や壁および便器を清潔に保つための立体型トイレマットに関するものである。
【背景技術】
【０００２】
トイレは人の生活になくてはならない存在であって頻繁に利用されるところであるが、トイレ室内では、小便および大便等の排泄物が便器に当たって飛散したり、便器から外れたり、便器の外側を伝わって垂れ落ちたりすることにより便器およびその周辺の床面や壁等が汚れてしまうことが多い。このような排泄物の汚れには細菌が繁殖しやすく、衛生上好ましくない。かかる問題に対し、これまでにトイレ室内を清潔に保つための製品として、トイレの床に敷設される各種のマット類が提案されている。
【０００３】
例えば、特開平９−１５４７７５号公報によれば、板状の底部材と、この底部材の上に載置され、かつ便器外に飛散した小便を受け止めてガードする開口部を有した押え部材と、不織布等の吸水性シート層からなり前記底部材と前記押え部材との間に差し替え可能に装着される差し替えマット部材とから構成された衛生マットが提案されている（特許文献１）。この特許文献１によれば、この衛生マットは、便器外に飛散した小便を開口部で受け止め、その小便により汚れた差し替えマット部材と新しい差し替えマット部材または洗濯した差し替えマット部材を確実に、かつ、極めて容易に交換することができると記載されている。
【０００４】
【特許文献１】特開平９−１５４７７５号公報
【発明の開示】
【発明が解決しようとする課題】
【０００５】
しかしながら、特許文献１に記載された発明に代表されるタイプの床面に敷設される平面状マットでは、床面を保護できたとしても、トイレ室内の壁にまで飛散する小便をガードできないという問題がある。実際の現場では、飛散した小便により壁が汚れることが多く、染みついた汚れは壁紙自体を交換しなければならない。
【０００６】
また、従来、小便に限らず排泄物が床面や壁および便器に垂れ落ちた場合、トイレ室内の床面等を洗浄水を用いてジャブジャブと洗浄したいという強い要望がある。しかし、家庭用トイレにおいては、トイレ床から排水できる設備になっていないため、水浸しにして清掃することは不可能である。仮にトイレ室を防水加工したり、排水設備を設けたりすると大がかりな改築工事が必要になってしまうため、設置による利便性の向上よりも設置コストの不利益性が上回り、現実的ではない。
【０００７】
本発明は、このような問題点を解決するためになされたものであって、トイレ室内に敷設されて、床面や壁および便器を清潔に保つ立体型トイレマットを提供することを目的としている。
【課題を解決するための手段】
【０００８】
本発明に係る立体型トイレマットは、便器の外周形状に合わせて略凹状に形成された便器囲い部を備えており便器周りの床に敷設される床面ガードマットと、前記便器囲い部から前記便器に沿って立設された便器ガード壁と、この便器ガード壁に連設されているとともに前記床面ガードマット上に立ち入るための立入口を除く外周縁に立設された側面ガード壁とを有しており、前記床面ガードマットには、前記立入口に対して左右に設けられた前記各側面ガード壁にわたる長さで略直線状の谷折り可能な床面谷折り部が形成されているとともに、前記左右の側面ガード壁には、前記床面谷折り部と接する部分を基点に折り畳み可能な折畳部が形成されており、前記床面ガードマットの前記立入口を前記床面谷折り部で上方向に折り曲げて堤防部を形成可能な構成を有している。
【０００９】
本発明の一態様として、前記折畳部は、谷折り可能な略直線状の側面谷折り部と山折り可能な略直線状の側面山折り部とから構成されているとともに、これら側面谷折り部と側面山折り部とのなす折畳角度が前記左側面ガード壁と前記右側面ガード壁とで同一に形成されていてもよい。
【００１０】
また、本発明の一態様として、前記便器囲い部を前記立入口に対して正面略中央に配置するとともに、前記床面谷折り部を前記便器囲い部とほぼ接する位置に配置し、前記床面ガードマットには、前記床面谷折り部と前記便器囲い部との接する部分を基点として前記立入口の縁部まで至る略直線状の両折り可能な床面両折り部が形成されていてもよい。
【００１１】
さらに、本発明の一態様として、前記便器囲い部にほぼ接する床面谷折り部に沿って折り畳まれる折畳部の他に、前記立入口の外縁近傍において左右の側面ガード壁にわたる長さで略直線状に形成された谷折り可能な第２床面谷折り部が形成されているとともに、前記左右の側面ガード壁には、前記第２床面谷折り部と接する部分を基点に折り畳み可能な第２折畳部が形成されており、前記床面ガードマットの前記立入口を前記第２床面谷折り部で上方向に折り曲げて第２堤防部を形成可能な構成にしてもよい。
【００１２】
また、本発明の一態様として、前記便器ガード壁には、その上端に沿って便器の後方側へ延出されて前記便器を囲繞可能な長さを有する便器締付ベルトが設けられていてもよい。
【００１３】
さらに、本発明の一態様として、前記側面ガード壁には、前記床面谷折り部よりも前記便器側において排水用ポンプを支持するポンプ支持具が設けられており、このポンプ支持具は不使用の際に前記側面ガード壁に沿って折り畳み可能に形成されていてもよい。
【００１４】
また、本発明の一態様として、前記床面ガードマットのうち便器囲い部の便器後方側を上方に傾斜させた傾斜部が形成されていてもよい。
【発明の効果】
【００１５】
本発明によれば、トイレ室内に敷設されて、床面や壁および便器を清潔に保つことができる。
【発明を実施するための最良の形態】
【００１６】
以下、本発明に係る立体型トイレマットの実施形態について図面を用いて説明する。図１は本実施形態の立体型トイレマット１を便器Ｔ周りに敷設した状態を示す斜視図である。
【００１７】
図１に示すように本実施形態の立体型トイレマット１は、主として、トイレ室内の床面が小便等の排泄物によって汚れるのを防ぐ床面ガードマット２と、便器Ｔの外側面が小便等によって汚れるのを防ぐ便器ガード壁３と、トイレ室内の壁が小便等によって汚れるのを防ぐ側面ガード壁４とから構成されている。また、使用者が本実施形態の立体型トイレマット１へ立ち入る部分を立入口５としており、図１では便器Ｔに対して正面側を立入口５として設けている。
【００１８】
以下、本実施形態の立体型トイレマット１の各構成について詳細に説明する。
【００１９】
本実施形態における床面ガードマット２は、防水性や撥水性等を備えた汚れの落ち易い材料によりトイレ室内の床面に敷設可能な大きさに形成されている。本実施形態では略矩形状に形成されているが、これに限られるものではなく、様々な形状を選択してよい。また、前記床面ガードマット２は、その外周縁の一部を切り欠くように便器Ｔの外周形状に合わせて略湾曲凹状に形成された便器囲い部２１と、立入口５から洗浄水等が流れ出るのをせき止める堤防部６を形成するための谷折り可能な折り目を有する床面谷折り部２２と、この床面谷折り部２２と同様な機能を備えており立入口５近傍に設けられた第２床面谷折り部２３と、洗浄水等を排水する際に便器ガード壁４とともに折り曲げられる床面両折り部２４と、傾斜により洗浄水等を任意の方向へ流して所定の場所に収集する傾斜部２５とを有する。
【００２０】
本実施形態における便器囲い部２１は、立入口５に対して正面略中央の周縁近傍に便器Ｔの外周形状に合わせて湾のような略凹状に形成されている。なお、便器囲い部２１が形成される位置は正面略中央に限定されるものではなく、トイレの配置構造によって変更可能であり、例えば、立入口５に対して側面に配置されてもよく、隅に寄せて配置してもよい。
【００２１】
本実施形態における床面谷折り部２２は、図１に示すように、立入口５に対して左右に設けられた各側面ガード壁４１，４２にわたる長さをもって略直線状に折り曲げ可能に形成されている。また、床面谷折り部２２は、本実施形態では立入口５の縁部と略平行であって便器囲い部２１とほぼ接するように配置されており、図５に示すような高い堤防部６を構成するようになっている。但し、床面谷折り部２２の形成位置はこれに限定されるものではなく、便器囲い部２１から離れた位置に形成されてもよい。
【００２２】
なお、前記床面谷折り部２２や後述する他の折り部２３，２４，４７，４８の構造は、特に限定されるものではなく、折り目を設けたり、薄肉に形成したり等、適宜選択することができる。
【００２３】
本実施形態における第２床面谷折り部２３は、上記床面谷折り部２２と同様、左右の側面ガード壁４１，４２にわたる長さをもって略直線状に谷折り可能に形成されている。また、前記第２床面谷折り部２３は、立入口５の縁部の近傍に設けられており、前記床面谷折り部２２と別個に、図６に示すような低い第２堤防部７を形成することができるようになっている。
【００２４】
本実施形態における床面両折り部２４は、床面谷折り部２２と便器囲い部２１との接する部分を基点として立入口５の略中央の縁部まで至るように配置されている。この床面両折り部２４を境として、図７に示すように、左右の側面ガード壁４１，４２を中央側に持ち上げると、便器ガード壁３とともに床面ガードマット２が折り曲げられて、洗浄水等を隅へ収集しやすくなり、排水および持ち運びがしやすくなる。
【００２５】
本実施形態における傾斜部２５は、図１および図６に示すように、便器囲い部２１の左右における床面ガードマット２の便器Ｔの後方側から立入口５に向けて下方に傾斜させてなる。なお、傾斜部２５の傾斜方向は特に限定されるものではなく、床面ガードマット２上の任意の位置が低くなるように傾斜させられればよい。
【００２６】
つぎに、便器ガード壁３について説明する。本実施形態における便器ガード壁３は、防水性や撥水性等を備えた汚れの落ち易い可撓性素材で形成されており、便器囲い部２１から便器Ｔに沿って立設され、その上端には便器締付ベルト３１が取り付けられている。
【００２７】
便器締付ベルト３１は、図１および図６に示すように、便器ガード壁３の上端に沿って便器Ｔの後方側へ延出されており、便器Ｔを囲繞可能な長さを有している。本実施形態における便器締付ベルト３１は面ファスナーにより任意の締付位置で固定できるため、種々の便器に対して適切に締め付けられる。さらに図７および図８に示すように、洗浄水等を排水する際に床面両折り部２４を内側に折り曲げて便器ガード壁３を固定する場合にも使用される。
【００２８】
なお、本発明に係る立体型トイレマット１は便器締付ベルト３１を備えない形態にすることも可能である。この場合の便器ガード壁３は適宜選択されるものであるが、例えば弾性素材を使って便器Ｔに沿った形状に形成し、その弾性力をもって便器Ｔを狭持可能にすることにより、この便器ガード壁３に便器Ｔを嵌め合わせるだけで便器締付ベルト３１と同様な締め付け効果を得るようにしてもよい。前記弾性素材は便器ガード壁３の全体に適用してもよいし、上縁部にのみ適用してもよい。また、弾性素材により形成した便器ガード壁３と便器締付ベルト３１とを併用する構成にしてもよい。
【００２９】
なお、本実施形態の便器ガード壁３は、便器Ｔの上部にある膨らんだ部分まで覆うものではないので、その便器ガード壁３によって覆われない部分には、養生用のテープやポリ塩化ビニリデン等を原料とする密着性の高いフィルム等を着脱交換可能に巻き付けて汚れを防止すればよい。一方、便器ガード壁３を便器Ｔの膨らんだ部分まで覆うように構成してもよい。
【００３０】
つぎに、本実施形態における側面ガード壁４は、防水性や撥水性等を備えた汚れの落ち易い材料により形成されているとともに、飛散する小便等からトイレ室内の壁をガードするのに必要な高さに形成されている。また、前記側面ガード壁４は、便器ガード壁３に連設されているとともに、便器ガード壁３から左右の外周縁に沿って立入口５まで所定の高さに立設されている。また、左右の側面ガード壁４１，４２には、床面谷折り部２２と接する部分を基点に折り畳み可能な折畳部４３と、この折畳部４３を折り畳んだ状態で固定する折畳固定部４４，４５と、排水時にポンプＰまたはポンプＰの吸入口を支持するポンプ支持部４６，４６とを有している。これら折畳部４３、折畳固定部４４，４５およびポンプ支持部４６，４６についてより詳細に説明する。なお、左右の側面ガード壁４１，４２は、床面ガードマット２と接する部分を境界として床面ガードマット２側に折り畳み可能に構成されている。
【００３１】
なお、本実施形態における左右の側面ガード壁４１，４２は、上部に略半円状とする丸味を有した意匠的にも優れた形状に形成されているが、その形状は特に限定されるものではなく、矩形状や三角形状、波形状等様々な意匠を施すように形成されてもよい。
【００３２】
本実施形態における折畳部４３は、床面谷折り部２２と接する部分を基点として床面ガードマット２に対して垂直方向に略直線状に形成された谷折り可能な側面谷折り部４７と、床面谷折り部２２と接する部分を基点として側面谷折り部４７から立入口５側に折畳角度を約４５度とした略直線状の山折り可能な側面山折り部４８とから構成されている。そして、これら側面谷折り部４７と側面山折り部４８のなす折畳角度が、左側面ガード壁４１と右側面ガード壁４２とで略同一に形成されている。
【００３３】
前記折畳角度は、床面ガードマット２の立入口５側を堤防部６とするために立ち上げる際の角度を決定するものであり、適宜選択されるものであるが、立入口５側の立ち上がりの角度はこの折畳角度の２倍の角度となる。つまり、折畳角度が４５°の場合、堤防部６は９０°に立てられ、床面ガードマット２に対して垂直に設けられる。
【００３４】
なお、側面谷折り部４７および側面山折り部４８は複数設けて蛇腹のように折り畳めるように構成してもよく、必要に応じて堤防部６の立ち上がりの角度を調整可能に構成してもよい。また、折畳部４３をゴム等の伸縮自在な素材で形成してもよい。
【００３５】
本実施形態における折畳固定部４４，４５は、着脱可能な一組の面ファスナーからなり、第１面ファスナー４４は側面谷折り部４７と側面山折り部４８との間の外側面に設けられ、第２面ファスナー４５は折り畳まれた時に第１面ファスナー４４と当接する側面ガード壁４の外側面に設けられている。なお、折畳固定部４４，４５の構成は折り畳んだ状態を固定できるのであれば適宜選択されるものであり、図示しないが、側面谷折り部４７および側面山折り部４８の外側に対となるスライドファスナーを設けたり、紐や輪ゴム等を引っ掛けて固定するフックを設けるようにしてもよい。
【００３６】
本実施形態におけるポンプ支持具４６，４６は、図１および図２に示すように、パイプ状のポンプ吸入口を挿入可能な挿入孔を有する２枚の略矩形状平板からなり、床面谷折り部２２よりも便器Ｔ側の側面ガード壁４においてそれぞれ上下に配置されている。これらのポンプ支持具４６，４６は、不使用の際に側面ガード壁４に沿って下方に折り畳んで固定される。
【００３７】
なお、前述したポンプ支持具４６の構成は、２枚の略矩形状平板からなる構成に限定されるものではなく、適宜選択可能であり、例えば、図３に示すように、縦方向に谷折り可能な縦長板状の谷折りベース板４６１の片面のみを側面ガード壁４に固定し、この支持ベース板４６１の谷折りに合わせて山折り可能な２枚の山折り支持板４６２を前記谷折りベース板４６１の表面に固着してなるものであってもよい。このポンプ支持具４６は、使用の際には谷折りベース板４６１を谷折りするように持ち上げると、山折り支持板４６２が山折りされるように起き上がり、ポンプＰを支持する孔が上下にそれぞれ形成される。そして、使用しないときには谷折りベース板４６１および山折り支持板４６２を側面ガード壁４に沿って閉じておけば邪魔にならない。
【００３８】
つぎに、第２折畳部４９について説明する。本実施形態における第２折畳部４９は、第２床面谷折り部２３が折り畳まれた際に側面からの流出を防止するものであり、折り畳み可能な略扇状に形成され、左右の側面ガード壁４１，４２の立入口５の側端と床面ガードマット２とが接する角部を基点として水密状態に形成されている。なお、第２折畳部４９の構成は特に限定されるものではなく、前述した折畳部４３と同様な略直線状の谷折り部および略直線状の山折り部をそれぞれ備える構成にしてもよい。一方、第２折畳部４９は、水量の少ないときに小さな第２堤防部７を形成すればよい場合などに利用価値がある。なお、本第２折畳部４９については、図示しないが、折畳部４３と同様に折畳固定部４４，４５が設けられている。
【００３９】
ところで、前述した床面谷折り部２２を上方に折り畳むことによって大きな堤防部６が形成される。また、前述した第２床面谷折り部を上方に折り畳むことによって小さな第２堤防部７が形成される。
【００４０】
つぎに、本実施形態の立体型トイレマット１の各構成の作用について説明する。
【００４１】
『通常時の使用について』
本実施形態の立体型トイレマット１は、図１に示すように、床面ガードマット２の便器囲い部２１を便器Ｔの下部に嵌めて敷設する。そして、便器ガード壁３を便器Ｔの外側に当てて便器締付ベルト３１により締め付けて隙間なく固定する。一方、奥側および左右にある側面ガード壁４をトイレ室内の壁に沿わせて、必要に応じて粘着材等を使って貼り付けて固定する。
【００４２】
これにより床面ガードマット２は、床面に飛散した小便や垂れ落ちた排泄物から床面をガードし、便器ガード壁３は、便器Ｔに飛散する小便や垂れ落ちる排泄物から便器Ｔをガードし、側面ガード壁４は、便器Ｔに当たって飛散した小便からトイレ室内の便器Ｔ側の奥側の壁および左右の壁をガードする。
【００４３】
なお、床面ガードマット２、便器ガード壁３および側面ガード壁４等の主要な部材は汚れの落ち易い材料により形成されているため、簡単な汚れはトイレットペーパー等で軽く拭くだけで落とすことが可能となり、トイレ室内を清潔に保つことができる。
【００４４】
『洗浄時の折り畳みについて』
本実施形態の立体型トイレマット１は折り畳むことにより堤防部６が形成されて全体が箱状に変形し、内側を水洗いが可能となる。
【００４５】
まず、図４および図５に示すように、床面谷折り部２２を境として立入口５側を上方に持ち上げて谷折りさせるとともに、左右の各側面ガード壁４１，４２の折畳部４３を側面谷折り部４７が内側方向に谷折りされ、側面山折り部４８が外側方向へ山折りされることにより内側方向へ折り畳まれる。そして、折畳固定部４４，４５により折畳部４３を折り畳んだ状態で固定する。これにより、床面谷折り部２２を境として約９０度に立設された堤防部６が形成され、立体型トイレマット１が箱状に変形される。
【００４６】
以上のように、本実施形態における便器ガード壁３、側面ガード壁４および傾斜部２５は、堤防部６とともに洗浄水等の流出を防止する流出防止壁となり、図５に示すように、内側に洗浄水を入れても漏れないため、水洗いができる。
【００４７】
また、図６に示すように、本実施形態における第２床面谷折り部２３および第２折畳部４９を折り畳むことによって第２堤防部７を形成する。具体的には、第２床面谷折り部２３を境として立入口５側を持ち上げて谷折りするとともに、第２折畳部４９を折り畳む。そして、図示しない折畳固定部により折り畳んだ状態を固定し、第２床面谷折り部２３を境として約９０度に立設された第２堤防部７を形成する。
【００４８】
ここで第２床面谷折り部２３および第２折畳部４９により形成される第２堤防部７は、上記の床面谷折り部２２および折畳部４３からなる堤防部６と比較して簡易的に形成することができ、しかも第２堤防部７の高さが低いため作業スペースを確保しやすく、モップがけや拭き掃除等の洗浄作業がしやすい。
【００４９】
なお、洗浄時には便器締付ベルト３１を便器から取り外し、別の場所に運んでから洗浄することもできる。
【００５０】
『洗浄水等の排水について』
本実施形態において、箱状に変形した立体型トイレマット１内の洗浄水等の排水は、たとえば以下の２つの方法が可能である。
１．箱状に変形した立体型トイレマット１を傾けて直接便器Ｔ等に排水する方法。
２．ポンプＰにより汲み上げることにより便器Ｔ等に排水する方法。
【００５１】
まず、箱状に変形した立体型トイレマット１を傾けて排水する方法について説明する。
【００５２】
箱状に変形した立体型トイレマット１を便器Ｔから取り外し、傾けることにより、立体型トイレマット１内の洗浄水等は傾けられた方向の隅に集められ、容易に排水できる。
【００５３】
また、本実施形態における立体型トイレマット１は、床面両折り部２４を折り目として谷折りすれば床面谷折り部２２と便器囲い部２１との接する部分に隅が形成される。このとき床面ガードマット２とともに便器ガード壁３も容易に曲げられる。そして、便器締付ベルト３１により立体型トイレマット１を折り曲げた状態で固定する。このように、立体型トイレマット１は折り曲げた状態が維持されるため、洗浄水等を隅に集めやすくできるとともに、コンパクトになって排水作業を簡単に行える。
【００５４】
つまり、上記の折り曲げられた立体型トイレマット１は、図７に示すように、持ち上げられるとともに、床面両折り部２４により形成された隅から便器へ注ぎ込むように傾けられ、洗浄水等を排水する。なお、洗浄水等は、床面両折り部２４により形成された隅から排出されるものに限定されるものではなく、図８に示すように、左右の側面ガード壁４１，４２と、これに連設されている奥側の側面ガード壁４または堤防部６とにより構成されている隅から排水してもよい。
【００５５】
つぎに、排水用のポンプＰにより汲み上げて排水する方法について説明する
【００５６】
通常、便器Ｔの奥側にあるスペースは作業がしづらく、洗浄水等も取り除きにくいが、本実施形態には、便器Ｔの後方側に傾斜部２５を形成しているため、洗浄後の水を立入口５側へ流して中央付近に集めることができる。一方、折り畳んだ状態のポンプ支持具４６，４６を側面ガード壁４から起こしてポンプＰを支持する孔が上下に連通するように配置し、これらの孔にポンプＰの吸入口を挿通してその先端が立体型トイレマット１内に位置するようにして支持させる。そして、ポンプＰの排出口を便器Ｔの中に入れて、立体型トイレマット１内から吸入した洗浄水を適宜、便器Ｔに排出する。
【００５７】
なお、ポンプ支持具４６，４６は側面ガード壁４に沿って折り畳み可能であるため、本実施形態の立体型トイレマット１は重ねられる。そのため、輸送コストを抑えることができるし、在庫管理もし易い。
【００５８】
以上のような本実施形態の立体型トイレマット１によれば、つぎのような効果が得られる。
１．トイレ室内の床面や壁および便器をそれぞれ汚れから保護できるため清潔に保つことができる。
２．場所を選ばず、トイレ室内においても水漏れを気にせずにマット自体をジャブジャブと水洗いすることができる。
３．水洗いをした洗浄水等の排水が容易である。
４．取り付け、取り外しが簡単であるため、トイレ室外へ持ち運んでからの水洗いや交換が容易である。
５．重ねられるため輸送コストの軽減が図れ、収納の場所も取らないため在庫管理がし易い。
【００５９】
なお、本発明に係る立体型トイレマットは、前述した実施形態に限定されるものではなく、適宜変更することができる。
【００６０】
例えば、図９に示すように、本実施形態における床面ガードマット２は、種々の広さのトイレ室内に対応させるため、立入口５の縁部を長く形成しておき、適宜、切断調節可能にしてもよい。また、図９に示すように、側面ガード壁４に取っ手８を設けて輸送時や排水時に持ち易くしてもよい。
【００６１】
さらに、図示しないが、本実施形態における折畳部４３は内側に折り曲げられる構成となっているが、必要に応じて外側に折り曲げられる構成にしてもよい。また、ジャブジャブと水洗いは出来ないが、床面や壁および便器Ｔのガードを目的とした使い捨て用として、折畳部４３や各折り部２２，２３，２４を備えない構成にしてもよい。
【００６２】
なお、本実施形態の立体型トイレマット１は、洋式便器に使用した場合を例に説明したが、男性用小便器等においても使用することが可能である。
【図面の簡単な説明】
【００６３】
【図１】本発明に係る立体型トイレマットの一実施形態を示す斜視図である。
【図２】本実施形態におけるポンプ支持具の一実施形態を示す一部を省略した拡大斜視図である。
【図３】本実施形態におけるポンプ支持具の他の実施形態を示す一部を省略した拡大斜視図である。
【図４】本実施形態における堤防部を形成する過程を示す模式図である。
【図５】本実施形態における堤防部を形成した完了状態を示す模式図である。
【図６】本実施形態における第２堤防部を形成した状態を示す模式図である。
【図７】本実施形態における排水方法の一態様を示す模式図である。
【図８】本実施形態における排水方法の他の態様を示す模式図である。
【図９】本発明に係る立体型トイレマットの他の実施形態を示す模式図である。
【符号の説明】
【００６４】
１  立体型トイレマット
２  床面ガードマット
３  便器ガード壁
４  側面ガード壁
５  立入口
６  堤防部
７  第２堤防部
８  取っ手
２１  便器囲い部
２２  床面谷折り部
２３  第２床面谷折り部
２４  床面両折り部
２５  傾斜部
３１  便器締付ベルト
４１  左の側面ガード壁
４２  右の側面ガード壁
４３  折畳部
４４，４５  折畳固定部（第１面ファスナー，第２面ファスナー）
４６  ポンプ支持部
４７  側面谷折り部
４８  側面山折り部
４９  第２折畳部
４６１  谷折りベース板
４６２  山折り支持板
Ｔ  便器
Ｐ  ポンプ  
【図１】
2010094293.tif 000003
【図２】
2010094293.tif 000004
【図３】
2010094293.tif 000005
【図４】
2010094293.tif 000006
【図５】
2010094293.tif 000007
【図６】
2010094293.tif 000008
【図７】
2010094293.tif 000009
【図８】
2010094293.tif 000010
【図９】
2010094293.tif 000011